(57)【要約】【課題】  装飾片をバックルに装着したり、バックルの前後を反転させたりして、バックルのデザインの変化等を楽しめるようにする。【解決手段】  衣服用ベルトセットは、複数の止め孔Ｂ２を両端部に有するベルトＢと、バックルＡと、一面又は両面に任意のデザインを施してなる複数枚の装飾片Ｃとからなっている。バックルＡは、前後一対の窓枠状のバックル１、２からなるバックル本体を備え、後部バックル２に対し左方又は右方に張出する前部バックル片１の張出端部１Ａの内側と、該張出端部の張出方向とは反対の方向に張出する後部バックル片２の張出端部２Ａの内側とに、係止ピン５、５′が少なくとも１本づつ突設されている。一方のバックル片側の係止ピンにべルトの一方の端部側の止め孔を、他方のバックル片側の係止ピンにベルトの他方の端部側の止め孔をそれぞれ係合させて止着する。装飾片は各バックル片の窓孔１Ｂ、２Ｂの裏面側に着脱交換自在に装着する。【選択図】  図１０
0003113809.tif 000002
【実用新案登録請求の範囲】
【請求項１】
複数の止め孔をその両端部に長手方向に適宜の間隔で穿設してなるベルトと、該ベルト用のバックルと、一面又は両面に任意のデザインを施してなる複数枚の装飾片とを組み合せてなる衣服用ベルトセットであって、前記バックルの本体は、同一又は異なる外形を有し、前後に所要の間隔をあけて互いに平行に結合された前後一対の窓枠状のバックル片からなっていて、一方のバックル片は他方のバックル片に対し左方又は右方に張出する張出端部を、該他方のバックル片は該一方のバックル片に対し該張出端部の張出方向とは反対の方向に張出する張出端部をそれぞれ備え、前記各張出端部の内側には係止ピンが少なくとも１本づつそれぞれ突設されていること、前記装飾片のうち、１枚は一方のバックル片の窓孔の裏面側に、他の１枚は他方のバックル片の窓孔の裏面側にそれぞれ着脱交換自在に装着されるようになっていること、前記ベルトはその両端部が前記一対のバックル片間に形成されたスペースにそれぞれ左右から挿通されるようになっているとともに、その一方の端部側の止め孔を一方のバックル片側の係止ピンに、その他方の端部側の止め孔を他方のバックル片側の係止ピンにそれぞれ係合させることによってバックルに止着されるようになっていること、及び、前記バックルは前記バックル本体の前後を反転させてリバーシブルなバックルとして使用し得るようになっていることを特徴とする衣服用ベルトセット。
【請求項２】
請求項１に記載の衣服用ベルトセットにおいて、各バックル片の輪郭が四角形、多角形、円形、楕円形又はハート形であることを特徴とする衣服用ベルトセット。
【請求項３】
請求項１に記載の衣服用ベルトセットにおいて、一方のバックル片が四角形の輪郭を有する窓枠状に、他方のバックル片が多角形、円形、楕円形又はハート形の輪郭を有する窓枠状にそれぞれ形成されていることを特徴とする衣服用ベルトセット。
【請求項４】
請求項１に記載の衣服用ベルトセットにおいて、各装飾片がその左右いずれかの端部に係合孔を備え、１枚の該カードの係合孔を一方のバックル片側の係止ピンに、他の１枚の該カードの係合孔を他方のバックル片側の係止ピンにそれぞれ係合させることにより各バックル片の窓孔の裏面側にそれぞれ固定し得るようにしたことを特徴とする衣服用ベルトセット。
【請求項５】
請求項１、２又は３に記載の衣服用ベルトセットにおいて、各バックル片の係止ピンがベルトの引張力が作用する方向とは反対の方向に折曲されたフック状の頭部を具備することを特徴とする衣服用ベルトセット。
【考案の詳細な説明】
【技術分野】
【０００１】
本考案は、バックルとベルトがそれぞれ別体に形成され、互いに分離しており、使用時に両者を組み合せて使用する衣服用ベルトセットに関するものである。
【背景技術】
【０００２】
複数の止め孔をその両端部に長手方向に適宜の間隔で穿設してなるベルトと、該ベルト用のバックルとを組み合せてなる上記の如き衣服用ベルトセットは、例えば、下記文献に記載されているように、既に知られている。
【特許文献１】実開平１１−３５０２２４号公報
【０００３】
この種の公知の衣服用ベルトセットにあっては、バックルに一端が固着されていて一方向からしか締め具合が調整できないタイプの従来周知のベルトと異なり、ベルト本体の両端側から容易にベルトの締め具合の調整をすることができるほか、バックルの交換が容易であるため、手軽にバックルを付け替えておしゃれを楽しむことができるという利点がある。
【考案の開示】
【考案が解決しようとする課題】
【０００４】
しかし乍ら、この種の衣服用ベルトセットにあっては、バックルの交換が容易であるため、手軽にバックルを付け替えておしゃれを楽しむことができるとしても、そのためには意匠の異なるバックルを多数用意する必要があり、しかも多数用意するとなると、必然的に使用者の出費が嵩み、経済的負担が重くなってしまうという問題点や、使用中にベルトがバックルから外れてしまい易いといった問題点があった。
【０００５】
また、この種の従来公知の衣服用ベルトセットにおけるバックルは、一般に、１枚のバックル・プレートからなるバックル本体の内側に、内側に突出する係止ピンを形成してなるものであるため、、その構造上、バックル本体の前後を反転させてリバーシブルなバックルとして使用することが不可能である。
さらにまた、この種のベルトセットにおけるバックルは、使用中にベルトが外れてしまい易いといった問題点があった。
【０００６】
本考案は、従来例の有する上記の如き問題点に鑑みなされたものであって、ベルトの締め具合の調整が容易であることは勿論のこと、ベルトの着脱が容易であり、しかもバックルの交換を必要とすることなく、異なる意匠を有する複数枚の装飾片の中から適宜選んだ装飾片をバックルに装着したり、バックル本体の前後を反転させたりしてバックルのデザインの変化やおしゃれを楽しむことができるとともに、廉価に提供することができるようにした衣服用ベルトセットを提供することをその主たる目的とするものである。
また、本考案の他の目的は、使用中にベルトがバックルから外れることがないようにした衣服用ベルトセットを提供しようとするものである。
【課題を解決するための手段】
【０００７】
上記目的を達成するために、請求項１の考案に係る衣服用ベルトセットは、複数の止め孔をその両端部に長手方向に適宜の間隔で穿設してなるベルトと、該ベルト用のバックルと、一面又は両面に任意のデザインを施してなる複数枚の装飾片とを組み合せてなる衣服用ベルトセットであって、前記バックルの本体は、同一又は異なる外形を有し、前後に所要の間隔をあけて互いに平行に結合された前後一対の窓枠状のバックル片からなっていて、一方のバックル片は他方のバックル片に対し左方又は右方に張出する張出端部を、該他方のバックル片は該一方のバックル片に対し該張出端部の張出方向とは反対の方向に張出する張出端部をそれぞれ備え、前記各張出端部の内側には係止ピンが少なくとも１本づつそれぞれ突設されていること、前記装飾片のうち、１枚は一方のバックル片の窓孔の裏面側に、他の１枚は他方のバックル片の窓孔の裏面側にそれぞれ着脱交換自在に装着されるようになっていること、前記ベルトはその両端部が前記一対のバックル片間に形成されたスペースにそれぞれ左右から挿通されるようになっているとともに、その一方の端部側の止め孔を一方のバックル片側の係止ピンに、その他方の端部側の止め孔を他方のバックル片側の係止ピンにそれぞれ係合させることによってバックルによる止着されるようになっていること、及び、前記バックルは前記バックル本体の前後を反転させてリバーシブルなバックルとして使用し得るようになっていることを特徴とするものである。
【０００８】
また、請求項２の考案に係る衣服用ベルトセットは、請求項１に記載の衣服用ベルトセットにおいて、各バックル片の輪郭が四角形、多角形、円形、楕円形又はハート形であることを特徴とするものである。
【０００９】
さらに、請求項３の考案に係る衣服用ベルトセットは、請求項１に記載の衣服用ベルトセットにおいて、一方のバックル片が四角形の輪郭を有する窓枠状に、他方のバックル片が多角形、円形、楕円形又はハート形の輪郭を有する窓枠状にそれぞれ形成されていることを特徴とするものである。
【００１０】
また、請求項４の考案に係る衣服用ベルトセットは、請求項１に記載の衣服用ベルトセットにおいて、各装飾片がその左右いずれかの端部に係合孔を備え、１枚の該カードの係合孔を一方のバックル片側の係止ピンに、他の１枚の該カードの係合孔を他方のバックル片側の係止ピンにそれぞれ係合させることにより、各バックル片の窓孔の裏面側にそれぞれ固定し得るようにしたことを特徴とするものである。
【００１１】
さらにまた、請求項５の考案に係る衣服用ベルトセットは、請求項１、２又は３に記載の衣服用ベルトセットにおいて、各バックル片の係止ピンがベルトの引張力が作用する方向とは反対の方向に折曲されたフック状の頭部を具備することを特徴とするものである。
【考案の効果】
【００１２】
本考案は、上述の如く構成されているので、これによれば、ベルトの締め具合の調整が容易であることは勿論のこと、ベルトの着脱が容易であり、しかもバックルの交換を必要とすることなく、異なる意匠を有する複数枚の装飾用カードの中から適宜選んだ装飾用カードをバックルに装着したり、バックル本体の前後を反転させたりしてバックルのデザインの変化やおしゃれを楽しむことができるとともに、廉価に提供することができるようにした衣服用ベルトセットを得ることができる。
【００１３】
また、本考案によれば、使用中にベルトがバックルから外れることがないようにした衣服用ベルトセットを得ることができる。
【考案を実施するための最良の形態】
【００１４】
以下、本考案の実施の形態につき、その実施例を示した図面を参照しながら詳細に説明する。
【実施例１】
【００１５】
図１〜１０は、本考案の一実施例を示したもので、それらの図面において、Ａは、複数の止め孔Ｂ２をその両端部Ｂ１、Ｂ１´に長手方向に適宜の間隔で穿設してなる衣服用ベルトＢと組み合せて使用するバックルである。
【００１６】
このバックルＡの本体Ａ´は、左右に部分的にずらせるとともに、前後に所要の間隔をあけて互いに平行に結合した前後一対の横長の長方形をした窓枠状のバックル片１、２からなっている。この前後一対のバックル片、すなわち、前部のバックル片１と後部のバックル片２とは、図示の例にあっては、ベルトＢの幅より若干大なる距離間隔を有する上下一対の互いに平行な連結板３を介して互いに堅固に結合され、その間に該ベルトＢの両端部Ｂ１、Ｂ１´をそれぞれ左右から挿通し得るベルト挿通用スペース４が形成されている。
【００１７】
そして、図示の例にあっては、後部のバックル片２に対し右方に張出する前部のバックル片１の張出端部１Ａの内側と、該張出端部１Ａの張出方向とは反対の方向、すなわち左方に張出する後部バックル片２の張出端部２Ａの内側とに、係止ピンが１本づつ突設されており、一方のバックル片側の係止ピン５にベルトＢの一方の端部Ｂ１側の止め孔Ｂ２を、他方のバックル片側の係止ピン５′に該ベルトの他方の端部Ｂ１′側の止め孔Ｂ２をそれぞれ係合させることによりベルトＢをバックルＡに止着することができるようになっている。
【００１８】
各係止ピン５、５′は、図６に示すように、断面円形の茎部５Ａ、５Ａ′と、ベルトＢの着用時に該ベルトの引張力が作用する方向とは反対の方向に折曲されたオーバル形をしたフック状の頭部５Ｂ、５′Ｂとからなっており、使用中にベルトＢがみだりに外れることがないように構成されているとともに、上述した如く張出端部１Ａ、２Ａの各内側にそれぞれ突設されていることと相俟って、ベルトＢの着脱操作が極めて容易である。
【００１９】
図７は、各バックル片１、２の窓孔１Ｂ、２Ｂの裏面側にそれぞれ着脱交換自在に装着し得るように構成した表裏両面に任意のデザインを施してなる複数枚のカード状の装飾片Ｃを例示したものである。これらの装飾片Ｃの材質については特に限定はないが、高級印刷に使用されるようなアート紙、コート紙等の塗工紙や合成紙、腰が強く、かつ印刷適性のあるプラスチックシート、金属シート等が好ましい。
図示の例にあっては、各装飾品Ｃは、その左右いずれかの端部に係合孔６を備え、１枚の装飾品Ｃの係合孔６を一方のバックル片１側の係止ピン５に、他の１枚の装飾片Ｃの係合孔６を他方のバックル片２の係止ピン５′にそれぞれ差し込んで係合させることにより各バックル片１、２の窓孔１Ｂ、２Ｂの裏面側にそれぞれ固定されるようになっている。
【００２０】
図８〜図１０は、装飾片Ｃを各窓孔１Ｂ、２Ｂの裏面側に固定した後、ベルトＢの両端部Ｂ１、Ｂ１′をバックル本体Ａ′のベルト挿通用スペース４にそれぞれ左右から挿通し、かつ、一方のベルト端部Ｂ１側の止め孔Ｂ２の１つを前部バックル片１側の係止ピン５に、他方のベルト端部Ｂ１′側の止め孔Ｂ２の１つを後部バックル片２側の係止ピン５′にそれぞれ差し込んで係合させることにより、ベルトＢをバックルＡに止着した状態を示している。図９、１０は、前部バックル片１の窓孔１Ｂから装飾片Ｃの図柄が見えている状態を示している。
【実施例２】
【００２１】
図１１は、本考案の他の実施例を示したものであるが、この実施例が前記実施例と異なる点は、前部バックル片１′の形状を環状とした点だけであり、他の点では格別異なるところはないので、同一の部材については同一の符号を付するにとどめ、詳細な説明を省略する。
【実施例３】
【００２２】
図１２は、本考案のさらに別の実施例を示したものであるが、この実施例が前述した実施例１と異なる点は、前部バックル片１″の形状を楕円リング状とした点だけであり、他の点では、実施例２と同様に、格別異なるところはないので、同一の部材については同一の符号を付するにとどめ、詳細な説明を省略する。
【００２３】
図１１、１２に示した実施例２、３の他にも前後一対のバックル片を互いに異なる形状、例えば、一方のバックル片が四角形の輪郭を有する窓枠状に、他方のバックル片が多角形又はハート形の輪郭を有する窓枠状に形成することができる。このように、前後一対のバックル片が互いに異なる形状に形成されている場合には、バックル本体の前後を反転させて使用するだけでバックルの形状変化を楽しむことができる。異なるデザインを施した複数枚の装飾片の中から適宜選んだ装飾片Ｃを各バックル片に装着して使用すれば、図柄、模様、色彩等のデザインの変化をも楽しむことができる。
【００２４】
前後一対のバックル片１、２は、多角形、円形、楕円形、ハート形等の同一の形状をしたプレートで構成してもよい。
【００２５】
バックルＡは、ダイカスト機でダイカスト合金を使用して一体成形することができるが、射出成形機等により硬質合成樹脂で一体成形することも可能である。
【００２６】
図示の例では、各バックル片１、２に係止ピンが１本づつ突設されているが、複数本づつ設けてもよい。この場合には、ベルトＢの両端部Ｂ１、Ｂ１´にそれらの係止ピンに係合し得る止め孔をそれぞれ穿設するものとする。
また、各装飾片Ｃは、その一面にのみデザインを施したものであってもよい。
なお、装飾片Ｃは各バックル片の形状に適合するように形成するものとする。
【産業上の利用可能性】
【００２７】
本考案に係る衣服用ベルトセットは、上記の如く構成されているので、ベルトの締め具合の調整が容易であることは勿論のこと、ベルトの着脱が容易であり、しかもバックルの交換を必要とすることなく、異なる意匠を有する複数枚の装飾片の中から適宜選んだ装飾片をバックルに取り付けたり、バックル本体の前後を反転させたりしてバックルのデザインの変化やおしゃれを楽しむことができるとともに、廉価に提供することができるという実益を発揮し得るものである。
【図面の簡単な説明】
【００２８】
【図１】本考案の一実施例としての衣服用ベルトセットにおけるバックルの正面図である。
【図２】図１のＡ−Ａ′線による同上バックルの断面図である。
【図３】同上バックルの右側面図である。
【図４】同上バックルの平面図である。
【図５】同上バックルの底面図である。
【図６】図６のＢ−Ｂ′線による係止ピンの断面図である。
【図７】異なるデザインを施した付属品としての４枚の装飾片を例示した平面図である。
【図８】ベルトを止着した状態を示すバックルの平面図である。
【図９】ベルトをバックルに止着するとともに、前部バックル片の窓孔の裏面側に装飾片を装着した状態を示す一部省略正面図である。
【図１０】ベルトをバックルに止着するとともに、前部バックル片の窓孔の裏面側に装飾片を装着した状態を示す全体斜視図である。
【図１１】本考案の他の実施例を示す正面図である。
【図１２】本考案のさらに別の実施例を示す正面図である。
【符号の説明】
【００２９】
Ａ            バックル
Ａ´          バックル本体
１            前部バックル片
２            後部バックル片
３            連結板
１Ａ          前部バックル片の張出端部
２Ａ          後部バックル片の張出端部
１Ｂ          窓孔
２Ｂ          窓孔
４            ベルト挿通スペース
Ｂ            ベルト
Ｂ１、Ｂ１´  ベルトの両端部
Ｂ２          止め孔
５、５´      係止ピン
Ｃ            装飾片
【図１】
0003113809.tif 000003
【図２】
0003113809.tif 000004
【図３】
0003113809.tif 000005
【図４】
0003113809.tif 000006
【図５】
0003113809.tif 000007
【図６】
0003113809.tif 000008
【図７】
0003113809.tif 000009
【図８】
0003113809.tif 000010
【図９】
0003113809.tif 000011
【図１０】
0003113809.tif 000012
【図１１】
0003113809.tif 000013
【図１２】
0003113809.tif 000014
【手続補正書】
【提出日】平成17年7月15日(2005.7.15)
【手続補正１】
【補正対象書類名】明細書
【補正対象項目名】００１９
【補正方法】変更
【補正の内容】
【００１９】
図７は、各バックル片１、２の窓孔１Ｂ、２Ｂの裏面側にそれぞれ着脱交換自在に装着し得るように構成した表裏両面に任意のデザインを施してなる複数枚のカード状の装飾片Ｃを例示したものである。これらの装飾片Ｃの材質については特に限定はないが、高級印刷に使用されるようなアート紙、コート紙等の塗工紙や合成紙、腰が強く、かつ印刷適性のあるプラスチックシート、金属シート等が好ましい。
図示の例にあっては、各装飾片Ｃは、その左右いずれかの端部に係合孔６を備え、１枚の装飾片Ｃの係合孔６を一方のバックル片１側の係止ピン５に、他の１枚の装飾片Ｃの係合孔６を他方のバックル片２の係止ピン５′にそれぞれ差し込んで係合させることにより各バックル片１、２の窓孔１Ｂ、２Ｂの裏面側にそれぞれ固定されるようになっている。